(57)【要約】    【課題】  紙原稿の時刻認証を簡単に行うことができ、またその確認を簡単に行うことができる画像処理装置を提供する。    【解決手段】  紙原稿の時刻認証を行う場合、ＭＦＰ１０２は、紙原稿を読み取ったデジタルデータを時刻認証サーバ１０４に送信する。時刻認証サーバ１０４は電子署名を生成し、これをタイムスタンプとしてＭＦＰ１０２に返信する。ＭＦＰ１０２は、タイムスタンプとデジタルデータを保存サーバ１０５に送信すると、保存サーバ１０５は、タイムスタンプとデジタルデータを保存し、保存先のポインタをＭＦＰ１０２に返信する。返信されたタイムスタンプは、ＭＦＰ１０２でデジタルデータと合成されて印刷される。【選択図】      図１
2005123980.tif 000002
【特許請求の範囲】
【請求項１】
原稿を読み取ってデジタルデータを生成する原稿読取手段と、
前記デジタルデータの時刻認証を要求し、該時刻認証が行われた時刻情報を取得する時刻認証要求手段と、
前記時刻情報と対応付けられた前記デジタルデータを保存先に保存するよう制御する保存制御手段とを備えた画像処理装置。
【請求項２】
前記デジタルデータおよび前記時刻情報の保存先情報を取得する保存先情報取得手段と、
該取得した保存先情報と前記デジタルデータとをシートに印刷する印刷手段とを備えたことを特徴とする請求項１記載の画像処理装置。
【請求項３】
前記シートを読み取り、前記保存先情報を読み出す保存先情報読出手段と、
前記保存先情報を基に、前記保存先から前記時刻情報を読み出す時刻情報読出手段とを備えたことを特徴とする請求項２記載の画像処理装置。
【請求項４】
前記読み出した時刻情報の検証を要求し、該検証結果を取得する検証結果取得手段と、
前記検証結果が正しかった場合、前記時刻情報を出力する時刻情報出力手段とを備えたことを特徴とする請求項３記載の画像処理装置。
【請求項５】
前記時刻情報のタイムスタンプ画像を形成する画像形成手段を備え、
前記印刷手段は、前記保存先情報および前記タイムスタンプ画像が付加された前記デジタルデータを印刷することを特徴とする請求項２記載の画像処理装置。
【請求項６】
前記時刻認証を行う時刻認証局の選択画面を表示する表示手段と、
該画面上の指示にしたがって、前記時刻認証局を選択する時刻認証局選択手段とを備え、
前記時刻認証要求手段は、前記選択された時刻認証局に要求することを特徴とする請求項１記載の画像処理装置。
【請求項７】
前記デジタルデータおよび前記時刻情報を保存する保存先の選択画面を表示する表示手段と、
該画面上の指示にしたがって、前記保存先を選択する保存先選択手段とを備え、
前記保存制御手段は、前記選択された保存先に保存するよう制御することを特徴とする請求項１記載の画像処理装置。
【請求項８】
前記保存先情報および前記タイムスタンプ画像が付加された前記デジタルデータを印刷するか、あるいは前記デジタルデータだけを印刷するかの選択を含む選択画面を表示する表示手段と、
該画面上の指示にしたがって、印刷様式を設定する印刷様式設定手段とを備えたことを特徴とする請求項５記載の画像処理装置。
【請求項９】
前記検証された時刻情報および前記デジタルデータを同時に印刷するか、あるいは前記検証された時刻情報だけを印刷するかの選択を含む選択画面を表示する表示手段と、
該画面上の指示にしたがって、印刷様式を設定する印刷様式設定手段とを備えたことを特徴とする請求項４記載の画像処理装置。
【請求項１０】
外部装置からデジタルデータを受信する受信手段を備え、
前記時刻認証手段は、前記生成されたデジタルデータの他、前記受信したデジタルデータの時刻認証を要求し、該時刻認証が行われた時刻情報を取得することを特徴とする請求項１記載の画像処理装置。
【請求項１１】
前記デジタルデータは、前記原稿の画像データ、または該画像データを基に変換されたコードデータであることを特徴とする請求項１記載の画像処理装置。
【請求項１２】
画像読取装置で原稿を読み取ってデジタルデータを生成する原稿読取ステップと、
前記デジタルデータの時刻認証を時刻認証局に要求し、該時刻認証が行われた時刻情報を取得する時刻認証要求ステップと、
前記時刻情報と対応付けられた前記デジタルデータを保存先に保存するよう制御する保存制御ステップとを有する画像処理方法。
【発明の詳細な説明】
【技術分野】
【０００１】
本発明は、原稿を読み取ることにより生成されたデジタルデータの時刻認証を行う画像処理装置および画像処理方法に関する。
【背景技術】
【０００２】
従来、プリンタ、ファクシミリ装置、複合機、複写機等の画像処理装置には、時計が搭載されており、データの作成時刻やジョブの処理時刻として、紙原稿には、この時計によって刻まれる時刻が付けられていた（例えば、特許文献１参照）。
【特許文献１】特開平０６−０７８１４４号公報
【発明の開示】
【発明が解決しようとする課題】
【０００３】
しかしながら、上記従来の画像処理装置には、以下に掲げる問題があった。すなわち、上記画像処理装置に搭載された時計が刻む時刻は、画像処理装置の管理者や使用者によって自由に設定可能であり、実際の時刻とは別の時刻に設定されるような事態を防止することができなかった。つまり、紙原稿に付けられたデータの作成時刻やジョブの処理時刻が正確なものであるとは限らなかった。
【０００４】
そこで、本発明は、紙原稿の時刻認証を簡単に行うことができ、またその確認を簡単に行うことができる画像処理装置および画像処理方法を提供することを目的とする。
【課題を解決するための手段】
【０００５】
上記目的を達成するために、本発明の画像処理装置は、原稿を読み取ってデジタルデータを生成する原稿読取手段と、前記デジタルデータの時刻認証を要求し、該時刻認証が行われた時刻情報を取得する時刻認証要求手段と、前記時刻情報と対応付けられた前記デジタルデータを保存先に保存するよう制御する保存制御手段とを備える。
【０００６】
本発明の画像処理方法は、画像読取装置で原稿を読み取ってデジタルデータを生成する原稿読取ステップと、前記デジタルデータの時刻認証を時刻認証局に要求し、該時刻認証が行われた時刻情報を取得する時刻認証要求ステップと、前記時刻情報と対応付けられた前記デジタルデータを保存先に保存するよう制御する保存制御ステップとを有する。
【発明の効果】
【０００７】
請求項１、１２に係る発明によれば、原稿を読み取ってデジタルデータを生成し、この生成したデジタルデータの時刻認証を要求し、この要求に応じて時刻認証が行われた時刻情報を取得し、この取得した時刻情報と対応付けられた前記デジタルデータを保存先に保存するよう制御するので、紙原稿の時刻認証を簡単に行うことができ、またその確認を簡単に行うことができる。
【０００８】
請求項２に係る発明によれば、印刷されたシートからデジタルデータの保存先情報を取得できる。請求項３に係る発明によれば、取得した保存先情報からデジタルデータの時刻情報も取得できる。請求項４に係る発明によれば、取得した時刻情報の確認を簡単に行うことができる。請求項５に係る発明によれば、時刻情報のタイムスタンプ画像が付加されたシートを得ることができる。請求項６に係る発明によれば、ユーザは時刻認証局を容易に選択できる。請求項７に係る発明によれば、ユーザは、デジタルデータの保存先を容易に選択できる。請求項８、９に係る発明によれば、ユーザ所望の印刷様式で印刷できる。請求項１０に係る発明によれば、紙原稿に限らず、外部装置から受信したデジタルデータに対しても、請求項１と同様の効果を得ることができる。請求項１１に係る発明によれば、原稿に適したデータ形式で保存することが可能である。
【発明を実施するための最良の形態】
【０００９】
本発明の画像処理装置および画像処理方法の実施例について図面を参照しながら説明する。本実施例の画像処理装置は、時刻認証システムに適用された場合を示す。
【００１０】
［システム構成］
図１は実施例における時刻認証システムの全体構成および画像処理装置の電気的構成を示す図である。この時刻認証システムは、画像処理装置としての複合機（ＭＦＰ）１０２、情報処理装置１０３、時刻認証サーバ（時刻認証局）１０４、保存サーバ１０５等がネットワーク１０１を介して接続された構成を有する。
【００１１】
ＭＦＰ１０２は、ネットワークインタフェース１１２、スキャナ部１１３、ＰＤＬ処理部１１４、ネットワークデータ処理部１１５、他のインタフェース１１６、画像形成部１１７、タイムスタンプ処理部１１８および制御部１１９が内部バス１１１に接続された構成を有する。
【００１２】
スキャナ部１１３は紙原稿をスキャンして画像データを生成する。ＰＤＬ処理部１１４は、情報処理装置１０３から送られてきた印刷ジョブを処理する。ネットワークデータ処理部１１５は、情報処理装置１０３からＦＴＰプロトコルで送られた印刷データを処理したり、スキャンされた紙原稿の画像データをＰＤＦデータに変換してメールに添付した上で、情報処理装置１０３に送信する処理等を行う。
【００１３】
他のインターフェース１１６は、ＵＳＢ、ＦｉｒｅＷｉｒｅ（米国アップル社の登録商標）、ファクシミリで用いられる電話回線、ＰＣＭＣＩＡ等、ＬＡＮ以外のインターフェースであり、データの送受信を行う。画像形成部１１７は、データを処理して印刷したり、情報処理装置１０３に送信されるイメージを作成する。タイムスタンプ処理部１１８は、ネットワーク１０１に接続された時刻認証局１０４と通信を行い、時刻認証局１０４にタイムスタンプ作成を依頼したり、時刻認証局１０４から送信されたタイムスタンプを受信する。制御部１１９は各部を統括的に制御する。また、ＭＦＰ１０２は、ネットワークインタフェース１１２により、ネットワーク１０１に接続された情報処理装置１０３、時刻認証サーバ１０４および保存サーバ１０５と通信可能である。
【００１４】
尚、図１では、情報処理装置およびＭＦＰがそれぞれ１台しかネットワーク１０１に接続されていないが、複数台接続されてもよいことは勿論である。また、このネットワーク１０１は、ローカルエリアネットワーク（ＬＡＮ）で構成されているが、複数のコンピュータがネットワークに接続可能である限り、ＷＡＮなど他のネットワークでもよい。また、フロアやビル内のオフィスのＬＡＮでは、コンピュータを接続するために、イーサネット（米国ゼロックス社の登録商標）がよく使われる。また、ネットワークは、イントラネット、インターネットのどちらでもよく、インターネット上に時刻認証局および保存サーバが存在する場合、イントラネット上に存在する場合のどちらも実現可能である。
【００１５】
図２は画像処理装置（ＭＦＰ）１０２の構成を示す図である。このＭＦＰ１０２は、ＭＦＰ本体１０、折り装置４０およびフィニッシャ５０から構成される。また、ＭＦＰ本体１０は、スキャナ部１１３に含まれ、原稿画像を読み取るイメージリーダ１１、および画像形成部１１７の一部に相当するプリンタ１３から構成される。ＭＦＰ本体１０の正面右上方には、操作パネル５３が設けられており、前述したように、各種の情報を表示し、かつオペレータからの操作情報を入力する。
【００１６】
イメージリーダ１１には、原稿給送装置１２が搭載されている。原稿給送装置１２は、原稿トレイ１２ａ上に上向きにセットされた原稿を、先頭頁から順に１枚づつ図中左方向に給紙し、湾曲したパスを介してプラテンガラス上に搬送して所定位置に停止させ、この状態でスキャナユニット２１を左側から右側へ走査させることにより原稿を読み取る。読み取り後、外部の排紙トレイ１２ｂに向けて原稿を排出する。
【００１７】
原稿の読み取り面がスキャナユニット２１のランプからの光で照射され、その原稿からの反射光がミラー２２、２３、２４を介してレンズ２５に導かれる。このレンズ２５を通過した光は、イメージセンサ２６の撮像面に結像する。
【００１８】
そして、原稿の画像を主走査方向に１ライン毎にイメージセンサ２６で読み取りながら、スキャナユニット２１を副走査方向に搬送することによって原稿の画像全体の読み取りを行う。光学的に読み取られた画像は、イメージセンサ２６によって画像データに変換されて出力される。イメージセンサ２６から出力された画像データは、図示しない画像信号制御部（画像処理回路）において所定の処理が施された後、プリンタ１３の図示しない露光制御部（レーザ制御回路）にビデオ信号として入力する。また、イメージセンサ２６から画像データは、ネットワークデータ処理部１１５に送られ、前述したようにＰＤＦデータに変換される。
【００１９】
プリンタ１３の露光制御部は、入力された画像データに基づき、レーザ素子（図示せず）から出力されるレーザ光を変調し、変調されたレーザ光は、ポリゴンミラー２７によって走査されながら、レンズ２８、２９およびミラー３０を介して感光ドラム３１上に照射される。
【００２０】
感光ドラム３１には、走査されたレーザ光に応じた静電潜像が形成される。この感光ドラム３１上の静電潜像は、現像器３３から供給される現像剤によって現像剤像として可視像化される。また、レーザ光の照射開始と同期したタイミングで、各カセット３４、３５、３６、３７、手差給紙部３８または両面搬送パスから用紙が給紙され、レジストローラ４１を介して画像形成部に搬送される。
【００２１】
この用紙は感光ドラム３１と転写ローラ３９との間に搬送され、感光ドラム３１に形成された現像剤像は、転写ローラ３９で給紙された用紙上に転写される。現像剤像が転写された用紙は、定着部３２に搬送され、定着部３２は用紙を熱圧することによって現像剤像を用紙上に定着させる。定着部３２を通過した用紙は、フラッパおよび排出ローラを経てプリンタ１３から外部（折り装置４０）に向けて排出される。
【００２２】
ここで、用紙をその画像形成面が下向きになる状態（フェイスダウン状態）で排出するときには、定着部３２を通過した用紙をフラッパの切換動作により一旦、反転パス内に導き、その用紙の後端がフラッパを通過した後、用紙をスイッチバックさせて排出ローラによりプリンタ１３から排出する。
【００２３】
また、手差給紙部３８からＯＨＰシート等の硬い用紙が給紙され、この用紙に画像を形成する場合、用紙を反転パスに導くことなく、画像形成面を上向きにした状態（フェイスアップ状態）で排出ローラにより排出する。
【００２４】
さらに、用紙の両面に画像形成を行う両面記録が設定されている場合、フラッパの切換動作により、用紙を反転パスに導いた後、両面搬送パスに搬送し、両面搬送パスに導かれた用紙を、前述したタイミングで感光ドラム３１と転写部との間に再度給紙する。
【００２５】
プリンタ１３から排出された用紙は折り装置４０に送られる。この折り装置４０は、用紙をＺ形に折りたたむ処理を行う。例えば、Ａ３サイズやＢ４サイズのシートで、かつ折り処理が指定されている場合、折り装置４０で折り処理を行い、それ以外の場合、プリンタ１３から排出された用紙は折り装置４０を通過してフィニッシャ５０に送られる。このフィニッシャ５０には、画像が形成された用紙に挿入するための表紙、合紙などの特殊用紙を給送するインサータ９０が設けられている。フィニッシャ５０では、製本処理、綴じ処理、穴あけ等の各処理が行われる。
【００２６】
図３は時刻認証サーバ１０４の構成を示す図である。ここで、時刻認証サーバ１０４、保存サーバ１０５および情報処理装置１０３は、汎用のＰＣから構成され、ほぼ同様の構成を有するので、ここでは代表して時刻認証サーバ１０４についてだけ説明する。なお、時刻認証サーバ１０４は、正確な時を刻む時計部を有しており、この時計から正確な時刻を取得することができる点で、保存サーバ１０５および情報処理装置１０３と構成を異にする。また、保存サーバ１０５は、大量の画像データを記憶可能な大容量の記憶装置を有する点で、時刻認証サーバ１０４および情報処理装置１０３と構成を異にする。
【００２７】
時刻認証サーバ１０４は、ＣＰＵ１３１、ＲＡＭ１３２、ＣＲＴ１３３、キーボード１３４、ポインティングデバイス１３５、ＲＯＭ１３６、ハードディスク（ＤＩＳＫ）１３７、ＮＩＣ１３８およびタイマ１３９がシステムバス１４０を介して相互に接続された構成を有する。時刻認証サーバ１０４を制御するプログラムは、記憶媒体であるハードディスク（ＤＩＳＫ）１３７に格納されており、必要に応じてＲＡＭ１３２に読み出され、ＣＰＵ１３１によって実行される。タイマ１３９は、前述した、正確な時を刻む時計部を有する。また、ＣＰＵ１３１はＣＲＴ１３３によって各種情報の表示を行い、キーボード１３４およびポインティングデバイス１３５からユーザの指示を受け付ける。さらに、ＣＰＵ１３１はＮＩＣ１３８およびネットワーク１０１を通じて外部の情報処理装置１０３、保存サーバ１０５、ＭＦＰ１０２等と通信を行う。
【００２８】
［時刻認証取得動作］
上記構成を有する時刻認証システムの動作を示す。図４は時刻認証取得動作における時刻認証サーバ１０４、ＭＦＰ１０２および保存サーバ１０５間のデータ転送を示す図である。ＭＦＰ１０２は、ユーザからの時刻認証取得要求があると（Ｔ１）、紙原稿のデジタルデータを時刻認証サーバ１０４に送信する（Ｔ２）。時刻認証サーバ１０４は電子署名を生成し（Ｔ３）、これをタイムスタンプとしてＭＦＰ１０２に返信する（Ｔ４）。ＭＦＰ１０２は、保存サーバ１０５に保存要求を行い（Ｔ５）、タイムスタンプとデジタルデータを保存サーバ１０５に送信する（Ｔ６）。保存サーバ１０５は、タイムスタンプとデジタルデータを保存し（Ｔ７）、保存先のポインタをＭＦＰ１０２に返信する（Ｔ８）。ＭＦＰ１０２は、デジタルデータにタイムスタンプを合成する処理等を行って印刷出力する（Ｔ９）。
【００２９】
つづいて、時刻認証サーバ１０４、ＭＦＰ１０２および保存サーバ１０５における個々の時刻認証取得動作を示す。図５は時刻認証取得動作におけるＭＦＰ１０２の動作処理手順を示すフローチャートである。この処理プログラムは、制御部１１９内の記憶媒体（図示せず）に格納されており、ユーザがＭＦＰ１０２のスキャナに紙原稿をセットし、操作パネル５３上の「時刻認証取得」の機能ボタンを選択すると（図１３参照）、制御部１１９内のＣＰＵ（図示せず）によって実行される。
【００３０】
まず、ユーザによってスタートボタンが押下されると、スキャナ部１１３によりスキャナにセットされた紙原稿をスキャンし、デジタルデータを生成する（ステップＳ１）。ここで生成されるデジタルデータのフォーマットとして、白黒スキャンやカラースキャンに応じてその最適なフォーマット（例えば、ＪＰＥＧ、ＢｉｔＭａｐ、ＴＩＦＦ等）が異なり、更に、その画像データを含むアプリケーションのファイルフォーマット（例えば、ＰＤＦフォーマット）に変換される。尚、デジタルデータである限り、どのようなデータフォーマットであってもよい。
【００３１】
タイムスタンプ処理部１１８により、生成したデジタルデータに対し、一方向性関数を用いてハッシュ値を生成する（ステップＳ２）。このとき用いられる一方向性関数およびそのパラメータは、時刻認証サーバ１０４によって指定されたものである。つまり、時刻認証の操作を行う場合、ユーザは、操作パネル（図１４参照）上でどの時刻認証サーバで認証するかを設定するので、この設定情報から一方向性関数およびそのパラメータは一意に決定される。そして、ネットワークインタフェース１１２により、ステップＳ２で生成したハッシュ値を、ネットワーク１０１を経由して時刻認証サーバ１０４に送信し、時刻認証を要求する（ステップＳ３）。
【００３２】
この後、時刻認証サーバ１０４からタイムスタンプを受信するのを待ち（ステップＳ４）、タイムスタンプを受信すると、ユーザが操作パネル（図１５参照）上で指定した保存サーバ１０５に保存要求を行い、このタイムスタンプと、紙原稿をスキャンすることによって生成したデジタルデータとを、ネットワークインタフェース１１２により、ネットワーク１０１を経由して保存サーバ１０５に送信する（ステップＳ５）。
【００３３】
そして、タイムスタンプ処理部１１８により、ネットワークインタフェース１１２を経由してタイムスタンプと保存先のポインタを保存サーバ１０５から受信するのを待つ（ステップＳ６）。タイムスタンプと保存先のポインタを保存サーバ１０５から受信すると、タイムスタンプから時刻を取り出し、保存先のポインタをバーコード等に変換する。さらに、画像形成部１１７により、時刻および変換されたバーコードを基に、印刷されるスタンプの画像データをスタンプマークとして作成し、このスタンプマークとスキャンによって得られたデジタルデータとを合成して印刷出力用のイメージデータを作成し、印刷出力する（ステップＳ７）。このとき、画像形成部１１７による印刷出力は、ユーザが操作パネル上（図１６参照）で指定した設定内容（印刷様式）、つまりスタンプマークの合成場所、保存先のポインタの有無、およびスキャンデータの同時印刷の有無に従って行われる。この後、本処理を終了する。
【００３４】
図１２は紙原稿およびその時刻認証後の印刷出力を示す図である。同図（Ａ）の紙原稿に対し、同図（Ｂ）の時刻認証後の印刷出力例では、記録紙の右上に独自のマークのスタンプが重なって印刷されている。そのスタンプには、時刻認証サーバから受け取ったタイムスタンプ内の時刻データが埋め込まれており、この例では「２００３年４月１日１０時０３分２５秒１２３」である。また、タイムスタンプの保存場所へのポインタ「５５６１０８９」が示されている。
【００３５】
時刻認証を受けた後の印刷出力を設定する際、時刻認証サーバ１０４から受け取ったタイムスタンプには、認証された時刻のデータが含まれている。本実施例のＭＦＰ１０２は、タイムスタンプ処理部１１８により、独自のマークをデザインし、この時刻データを埋め込んで、あたかも郵便局の消印のようなスタンプを生成する。そして、このようなスタンプをスキャンした画像データに合成した上で印刷する。さらに、後日認証した時刻を検証するために保存されているタイムスタンプの場所を示すポインタも、スキャンした画像データに合成した上で印刷する。
【００３６】
図６は時刻認証取得動作における時刻認証サーバ１０４の動作処理手順を示すフローチャートである。この処理プログラムは、時刻認証サーバ１０４内の記憶媒体であるハードディスク（ＤＩＳＫ）１３７に格納されており、時刻認証サーバ１０４内のＣＰＵ１３１によって実行される。まず、ＭＦＰ１０２からハッシュ値を受信するのを待ち（ステップＳ１１）、ハッシュ値を受信すると、タイマ１３９内の時計部から正確な時刻情報を取得する（ステップＳ１２）。そして、この時刻情報およびハッシュ値に対する電子署名を、時刻認証サーバ１０４が持つ秘密鍵で生成する（ステップＳ１３）。生成した電子署名をタイムスタンプとしてＭＦＰ１０２に返信する（ステップＳ１４）。この後、本処理を終了する。この認証シーケンスのプロトコルには、時刻認証サーバによって指定されたものが用いられる。一般に、このプロトコルは標準化されており、このプロトコルに従って、タイムスタンプの取得が行われる。
【００３７】
図７は時刻認証取得動作における保存サーバ１０５の動作処理手順を示すフローチャートである。この処理プログラムは、保存サーバ１０５内の記憶媒体（図示せず）に格納されており、保存サーバ１０５内のＣＰＵ（図示せず）によって実行される。まず、ＭＦＰ１０２からタイムスタンプとデジタルデータを受信するのを待つ（ステップＳ２１）。タイムスタンプとデジタルデータを受信すると、タイムスタンプとデジタルデータを暗号化する（ステップＳ２２）。このタイムスタンプとデジタルデータの暗号化によって、改竄が防止される。この暗号化は、保存サーバ１０５でしか復号化できない方式、あるいは保存サーバ１０５が信用できるものでしか復号化できない方式で行われる。例えば、共通鍵方式を用い、その暗号鍵は保存サーバしか分からないようにする。あいは公開鍵方式を用い、信用できるものが公開している公開鍵で暗号化して送信し、信用できるものが持つ秘密鍵で復号化する。
【００３８】
暗号化されたタイムスタンプとデジタルデータをセットにし、ユーザが操作パネル上（図１５参照）で設定した保存方法（オプション選択肢）で、保存サーバ１０５に保存する（ステップＳ２３）。保存後、保存先のポインタをＭＦＰ１０２に返信する（ステップＳ２４）。この後、本処理を終了する。
【００３９】
ここで、保存先のポインタは、保存サーバ１０５の存在場所によって変わってくる。例えば、イントラネット上の時刻認証サーバ１０４で時刻認証を行った場合、タイムスタンプの保存サーバとして、同様にイントラネット上に存在するものが選ばれる。これは、認証した時刻を検証する者は、社内の人間に限られ、かつ社内で運用している時刻認証サーバの正当性は、社内の人間である場合、十分信用できるという前提があるからである。この場合、社内サーバがＷｉｎｄｏｗｓ（米国マイクロソフト社の登録商標）サーバで構築されていると仮定すると、保存先のポインタは、例えば、「￥￥ＭＹＣＯＭＳＲＶ￥ＴＩＭＥ￥ＳＴＡＭＰ￥２００４０４０１１００３２５１２３−００３．ＳＴＰ」となる。このポインタをそのまま印刷出力用のスタンプに記載してもよいが、このポインタをバーコード化したもの、あるいはポインタを集中管理するタグをバーコード化したものを記載してもよい。
【００４０】
また、インターネット上の時刻認証局で時刻認証を行った場合、タイムスタンプの保存サーバとして、同様にインターネット上に存在するものが選ばれる。これは、社外の者が認証した時刻を検証し、かつ第三者的で公正明大な機関においての時刻認証が求められると想定できるからである。この場合、インターネット上のＷｅｂサーバに保存すると仮定すると、保存先のポインタは、例えば、「ｆｔｐ．××××．ｃｏ．ｊｐ／ＴＩＭＥ／ＳＴＡＭＰ／２００４０４０１１００３２５１２３−００３．ＳＴＰ」となる。このポインタをそのまま印刷出力用のスタンプに記載してもよいが、イントラネットの場合と同様、このポインタをバーコード化したものを記載してもよい。つまり、保存サーバの存在場所がどこであろうとポインタを示すことに変わりがないので、印刷出力においてポインタを印刷すればよい。
【００４１】
［時刻認証確認動作］
つぎに、時刻認証取得後、ユーザがＭＦＰ１０２を用いて時刻認証を確認する場合を示す。ここで、印刷出力紙（紙原稿）としては、自分が作成したタイムスタンプつきの印刷出力紙であってもよいし、他人が作成してその証拠に送られてきたタイムスタンプつきの印刷出力紙であってもよい。
【００４２】
図８は時刻認証確認動作における時刻認証サーバ１０４、ＭＦＰ１０２および保存サーバ１０５間のデータ転送を示す図である。ＭＦＰ１０２は、ユーザからの時刻認証確認要求があると（Ｔ１１）、印刷出力紙から読み取った保存先のポインタを保存サーバ１０５に送信する（Ｔ１２）。保存サーバ１０５は、保存先のポインタを基にデータを検索し（Ｔ１３）、保存されているデジタルデータおよびタイムスタンプをＭＦＰ１０２に返信すると（Ｔ１４）、ＭＦＰ１２は受信したタイムスタンプを時刻認証サーバ１０４に送信する（Ｔ１５）。時刻認証サーバ１０４はタイムスタンプを検証し（Ｔ１６）、検証した時刻をＭＦＰ１０２に送信する（Ｔ１７）。ＭＦＰ１０２は受信した時刻を操作パネルに表示する（Ｔ１８）。
【００４３】
つづいて、時刻認証サーバ１０４、ＭＦＰ１０２および保存サーバ１０５における個々の時刻認証確認動作を示す。図９は時刻認証確認動作におけるＭＦＰ１０２の動作処理手順を示すフローチャートである。この処理プログラムは、制御部１１９内の記憶媒体（図示せず）に格納されており、ユーザがＭＦＰ１０２のスキャナに紙原稿をセットし、操作パネル５３上の「時刻認証確認」の機能ボタンを選択すると（図１３参照）、ＭＦＰ１０２内のＣＰＵ（図示せず）によって実行される。
【００４４】
まず、ユーザがスタートボタンを押すと、ＭＦＰ１０２は、スキャナ部１１３によりスキャナにセットされた紙原稿をスキャンし、タイムスタンプ処理部１１８により、紙原稿の画像データから保存先のポインタを抽出する（ステップＳ４１）。ＭＦＰ１０２は、タイムスタンプ処理部１１８により抽出された保存先のポインタを、ネットワークインタフェース１１２によりネットワーク１０１に接続された保存サーバ１０５に送信し、保存サーバ１０５に保存されているデジタルデータとタイムスタンプを要求する（ステップＳ４２）。
【００４５】
ＭＦＰ１０２は、ネットワークインタフェース１１２により、ネットワーク１０１に接続された保存サーバ１０５からデジタルデータとタイムスタンプを受信するのを待ち（ステップＳ４３）、デジタルデータとタイムスタンプを受信すると、タイムスタンプ処理部１１８に渡す。そして、タイムスタンプ処理部１１８により、タイムスタンプを解析し、時刻認証を受けた時刻認証サーバがどれであるのかを特定する（ステップＳ４４）。さらに、タイムスタンプ処理部１１８により、ネットワークインタフェース１１２からネットワーク１０１を経由して、特定された時刻認証サーバ１０４にタイムスタンプを送信し、時刻認証の確認を要求する（ステップＳ４５）。
【００４６】
この後、ＭＦＰ１０２は、タイムスタンプ処理部１１８により、ネットワーク１０１を経由してネットワークインタフェース１１２から時刻認証サーバ１０４の確認結果を受け取るまで待つ（ステップＳ４６）。時刻認証サーバ１０４の確認結果を受け取ると、タイムスタンプ処理部１１８により、その結果から時刻認証サーバ１０４によって認証された時刻を操作パネルの表示画面上に表示するとともに、その結果を印刷するか否かの指定をユーザに求める画面（図１７参照）を操作パネル上に表示する（ステップＳ４７）。
【００４７】
操作パネル上の表示画面でユーザが時刻認証サーバ１０４によって認証された時刻の確認結果を印刷するか否かを判別し（ステップＳ４８）、印刷する指定を行った場合、タイムスタンプ処理部１１８により、保存サーバ１０５から受信したデジタルデータを画像形成部１１７に送信し、画像形成部１１７により、ユーザの指定に従った印刷様式で印刷出力を行う、つまり認証された時刻の確認結果だけの印刷出力、あるいは認証されたデジタルデータと認証された時刻とを合成した印刷出力を行う（ステップＳ４９）。この後、本処理を終了する。
【００４８】
図１０は時刻認証確認動作における時刻認証サーバ１０４の動作処理手順を示すフローチャートである。この処理プログラムは、時刻認証サーバ１０４内の記憶媒体であるハードディスク１３７に格納されており、時刻認証サーバ１０４内のＣＰＵ１３１によって実行される。
【００４９】
時刻認証サーバ１０４は、時刻認証の確認要求があるまで、つまりタイムスタンプを受信するまで待つ（ステップＳ５１）。時刻認証の確認要求があると、時刻認証サーバ１０４だけが持つ秘密鍵によってタイムスタンプ内の電子署名を復号化し、改竄があったか否かの判定（タイムスタンプの検証）を行う（ステップＳ５２）。同時にタイプスタンプに埋め込まれている時刻情報を取り出す（ステップＳ５３）。そして、これらの結果をＭＦＰ１０２に返信し（ステップＳ５４）、本処理を終了する。この認証確認シーケンスのプロトコルには、時刻認証サーバによって指定されたものが用いられる。一般に、このプロトコルは標準化されており、このプロトコルに従ってタイムスタンプの取得が行われる。
【００５０】
図１１は時刻認証確認動作における保存サーバ１０５の動作処理手順を示すフローチャートである。この処理プログラムは、保存サーバ１０５内の記憶媒体（図示せず）に格納されており、保存サーバ１０５内のＣＰＵ（図示せず）によって実行される。
【００５１】
ネットワーク１０１に接続されたＭＦＰ１０２から保存先のポインタを受信したか否か、つまり保存サーバ１０５に保存されているデジタルデータとタイムスタンプが要求されたか否かを判別する（ステップＳ６１）。保存先のポインタを受信していない場合、ステップＳ６１の処理を繰り返し、受信するまで待つ。
【００５２】
そして、保存先のポインタを受信すると、受信した保存先のポインタに対応するデジタルデータとタイムスタンプを検索し（ステップＳ６２）、検索の結果、該当するデジタルデータとタイムスタンプをＭＦＰ１０２に返信する（ステップＳ６３）。この後、本処理を終了する。
【００５３】
［ＵＩ画面］
図１３はＭＦＰ１０２の機能を選択する際の操作パネルを示す図である。操作パネル５３の表示画面には、「コピー」、「ボックス」および「拡張機能」の３つのタブが設けられており、「拡張機能」のタブでは、「時刻認証取得」、「時刻認証確認」、「プリンタ」および「その他」の機能ボタン２０１〜２０４が設定されている。例えば、ユーザが、ＭＦＰ１０２のスキャナに紙原稿をセットし、操作パネル５３上の「時刻認証取得」の機能ボタン２０１を選択すると、時刻認証取得動作が開始する。
【００５４】
図１４は複数の中から時刻認証局を選択する際の操作パネルを示す図である。この操作パネルには、複数の中から時刻認証局を選択するための選択ボタン２５１〜２５３が設定されている。選択ボタン２５１は、インターネット上に存在し、登録されている時刻認証サーバを選択するものである。選択ボタン２５２は、イントラネット（社内ネット）上に存在し、登録されている時刻認証サーバを選択するものである。選択ボタン２５３は、登録されていない時刻認証サーバを選択するものである。
【００５５】
インターネット上には、時刻認証局が複数存在しており、そのサービス内容で競争している。ＭＦＰ１０２からいずれの時刻認証局にも接続可能であるが、一般的には、時刻認証局のアカウントを所持し、その支払いを行う都合上、１つ乃至少数の時刻認証局で運用が行われる。また、操作パネル５３上の表示画面では、インターネット上の時刻認証局を選択する選択肢（選択ボタン２５１）が選び易い位置に表示されている。また、社内だけで通用し、時刻認証局の認証コストをかけないようにするために、社内に時刻認証サーバを設けている場合、この社内の時刻認証サーバへの認証を選択するための選択肢（選択ボタン２５２が表示される。また、それ以外の時刻認証局については、その他のサーバを選択する選択ボタン２５３から選択できるようになっている。尚、選択肢として表示されないものは、直接アドレスや名前などを入力できるようにしてもよい。
【００５６】
図１５は画像データとタイムスタンプをまとめて保存する際の操作パネルを示す図である。操作パネル５３には、保存サーバを選択する選択ボタン３０１、および保存の設定を変更する選択ボタン３０２が設けられている。ここでは、時刻認証サーバ１０４からタイムスタンプが送られてきた後、紙原稿をスキャンして生成した画像データと、送られたタイムスタンプとをまとめて保存する場合のオプション設定を行うことができる。
【００５７】
このオプションの選択肢として、画像データとタイムスタンプをそれぞれ保存するか保存しないかの設定と、それぞれ保存する場合、別々に保存するか一緒に保存するか、さらにどの保存先に保存するかの選択を行うことができる。また、タイムスタンプは、後日それが正しいか否かを、時刻認証サーバに確認して貰うために、保存することが一般的である。また、どの画像に対するタイムスタンプであるかを明らかにするために、画像データをタイムスタンプと一緒に保存することが一般的である。したがって、このような選択肢を選びやすい位置に、設定項目が表示される。
【００５８】
また、保存先は、時刻認証サーバに応じて変更することが適切である。例えば、インターネット上の時刻認証局で認証を受けた場合、社外の人にその認証を通知して確認して貰うことを想定している。したがって、保存先はインターネット上に存在するものが好ましい。例えば、データ保存サービスをインターネット上で展開している場合、ここに保存することが一例として挙げられる。また、社内ネット（イントラネット）上の時刻認証サーバで認証を受けた場合、コストを抑え、社内の人だけにその認証を通知して確認して貰うことを想定している。したがって、保存先は、イントラネット上に存在することが好ましい。このように、操作パネル（図１５参照）上で保存先のサーバを選択する場合、選択した時刻認証サーバに対応するように、動的にその表示を変化させる。
【００５９】
また、ユーザがここに登録されたデフォルト設定と違う設定を行いたい場合、設定を変更する選択ボタン３０２を選択することで、画像データ、タイムスタンプおよび保存先を任意に変更可能なユーザインタフェース画面が表示される。
【００６０】
図１６はタイムスタンプの印刷を設定する際の操作パネルを示す図である。この操作パネル５３の表示画面には、タイムスタンプの場所を設定する、つまりこのスタンプを印刷出力紙のどの部分に合成するかを設定する設定ボタン３５１、保存場所の明示の有無を設定する、つまりタイムスタンプの保存場所へのポインタを印刷出力するか否かを設定する「する」ボタン３５２、「しない」ボタン３５３、原稿の同時印刷の有無を設定する、つまりスタンプを合成した出力とは別にスキャンした原稿をそのままコピーして印刷出力するか否かを設定する「する」ボタン３５４、「しない」ボタン３５５が設けられている。
【００６１】
例えば、スタンプの位置を設定する設定ボタン３５１を押すと、左上、右上、左下、右下、中央等に指定する画面が表示される。尚、スキャンした画像を操作パネルの表示画面上に表示した状態で、付属のスタイラスペンで位置を指定したり、出力紙の角から上下何ｍｍずつ移動した地点というように細かく位置を指定するような画面を表示してもよい。このような操作パネル上で設定を行った後、ユーザがスタートボタンを押下すると、ＭＦＰ１０２は、前述したように、スキャナにセットされた紙原稿をスキャンし、画像処理および時刻認証処理を行う。
【００６２】
図１７は時刻認証の確認を印刷する際の操作パネルを示す図である。ユーザは、タイムスタンプ付きの印刷出力紙をＭＦＰ１０２のスキャナにセットし、操作パネル上の「時刻認証確認」の機能ボタン２０２を選択した後、ユーザがスタートボタンを押すと、ＭＦＰ１０２は、スキャナにセットされた紙原稿をスキャンし、画像処理および時刻認証確認処理を行う。ＭＦＰ１０２は、印刷出力紙に印刷されている保存先のポインタを基に、適切なタイムスタンプを取り出し、適切な時刻認証サーバに確認を要求し、その回答を得る。そして、ＭＦＰ１０２は、その回答から認証された時刻を操作パネル５３上の表示画面に表示する。さらに、その確認結果を印刷出力するか否かをユーザに尋ねる画面、つまり確認の印刷を設定する、「する」ボタン４５２、「しない」ボタン４５３を表示する。また、保存サーバ１０５に保存されている認証されたイメージデータも、同時に印刷出力するか否かをユーザに尋ねる画面、つまり、原稿の同時印刷を設定する、「する」ボタン４５４、「しない」ボタン４５５を表示する。このような操作を行うことで、ユーザは、タイムスタンプ付きの印刷出力紙に対する認証された時刻と認証されたデジタルデータとを得ることができ、さらに、時刻が認証された印刷出力の確認を行うことができる。
【００６３】
以上示したように、本実施例の時刻認証システムによれば、ＭＦＰ１０２を用いることで、簡単に手書きのメモに対して時刻認証を行うことができる。したがって、何らかのアイデアを手書きで書き留めたメモがその時刻には存在していること、かつ、その後改竄されていないことを証明するサービスを提供できる。したがって、紙原稿の時刻認証を簡単に行うことができ、またその確認を簡単に行うことができる。また、紙原稿にタイムスタンプを押すことができる他、手元にあるタイムスタンプが押された紙原稿の時刻が正しいか否かの検証を行うことができる。
【００６４】
これらの効果を総括すると、以下のようになる。例えば、作成したデータが存在している今、この時刻を第三者に証明して貰う際、この時刻の証明を行う第三者がいわゆる時刻認証局である。この時刻認証局は、精密な時計で刻まれる時刻に基づく時刻データ（タイムスタンプ）を付け、それを認証するサービスをインターネット上で行っている。したがって、時刻認証局は、標準規格を満足する機能を有しており、そのタイムスタンプは一般的に正しいと認識されるので、タイムスタンプを付けることを依頼する者、および付けられたタイムスタンプを確認する者のいずれも、この時刻認証局を信じることができ、そのタイムスタンプは信用される。しかし、この時刻認証局にタイムスタンプを付けるように依頼すること、および付いたタイムスタンプを時刻認証局で確認することは、通常、ＰＣ（パーソナルコンピュータ）上で行うことが想定される。このため、紙に手書きで注文内容を記入して印鑑を押し、ファクシミリ装置で取引会社に注文書を送っている場合、その手書きの注文書が確かにその時刻に存在していたことを証明することは簡単にできない。また、アイデアを思い付き、手書きで紙に書き留めた場合、そのアイデアが確かにその時刻に存在していたことを証明することは簡単に実現できない。この場合、想定される手順は次の通りである。まず、紙原稿をスキャナで読み取ってデジタル化し、ＰＣ上でそのデジタルデータのハッシュ値を計算し、認証を受けたい時刻認証局を選択してハッシュ値を送信し、時刻認証局で作成されたタイムスタンプを受信し、紙原稿のデジタルデータと受信したタイムスタンプとをセットにして管理する。さらに、タイムスタンプを時刻認証局で確認する場合、そのタイムスタンプを時刻認証局に送信し、時刻認証局で確認された結果を受信し、受信した結果をＰＣ画面上に表示する。このような手順で、時刻認証およびその確認が行われることになる。このようにＰＣを用いて行ってもよいが、その操作手順は複雑である。本実施例では、ＰＣの代わりに、ＭＦＰを用いることで、紙原稿の時刻認証および確認動作を簡単な操作で行うことが可能である。
【００６５】
以上が本発明の実施の形態の説明であるが、本発明は、これら実施の形態の構成に限られるものではなく、特許請求の範囲で示した機能、または実施の形態の構成が持つ機能が達成できる構成であればどのようなものであっても適用可能である。
【００６６】
例えば、ＭＦＰは、ＦＡＸ受信、ＢＯＸ機能、ＩＰＰ（Ｉｎｔｅｒｎｅｔ  Ｐｒｉｎｔｉｎｇ  Ｐｒｏｔｏｃｏｌ）といった機能を備えており、これにより外部（装置）からデータを受信してデジタルデータとして保持し、その後印刷出力することが可能である。これらの機能により、受信したデジタルデータに時刻認証を行ってもよい。
【００６７】
ＭＦＰでは、受信後、デジタルデータに変換されて保持されているので、時刻認証サーバ１０４に時刻認証を要求する動作手順は、前述した手順と同じである。ただし、その認証を行うことを指示するタイミングが異なる。紙をスキャンして時刻認証を行う場合、ユーザの操作が行われるので、そのタイミングで時刻認証を行えばよい。ＦＡＸ受信、ＢＯＸ機能による受信あるいはＩＰＰ受信は、自動的に行われるので、これらジョブの受信時には、ユーザの操作が行われない。したがって、これらジョブの受信時の動作を予め設定しておくことで、時刻認証に対する指示を行う必要がある。
【００６８】
図１８はジョブの受信時の動作を設定する際の操作パネルを示す図である。ジョブを受信すると、自動的に全てのジョブに対して時刻認証を行うことを指示する「受信時自動的に実行」の選択ボタン５０１、条件に合致したジョブだけを時刻認証を行うことを指示する「条件により実行」の選択ボタン５０２、さらにこの条件を細かく指定できるようにする「詳細」ボタン５０３が設けられている。また、全てのジョブに対して時刻認証を行わずに保存することを指示する「保存し、認証はしない」の選択ボタン５０４が設けられている。
【００６９】
この設定画面により設定されたモードに従って、受信データに対して時刻認証に関する実行が行われる。受信時に時刻認証を行わなかったデジタルデータはＭＦＰ１０２内に保存されているので、時刻認証が必要になったときにいつでも実行することができる。また、時刻認証の検証を行う動作手順も、前述した手順と同じである。これにより、送信するだけでなく、受信したデジタルデータの時刻認証を行いたいという要求に応えることができ、受信したデジタルデータに簡単にタイムスタンプを付けることができる。さらに、その確認も簡単に行うことが可能である。
【００７０】
また、上記実施例では、時刻認証サーバ１０４と保存サーバ１０５とは、インターネット上に別々に設けられていたが、時刻認証サーバ１０４と保存サーバ１０５を兼ね備えたサーバ（以後、時刻認証アーカイバと呼ぶ）を構築してもよい。ＭＦＰ１０２で手書きのメモをスキャンし、デジタルデータ化してそのハッシュ値をこの時刻認証アーカイバに送り、時刻認証と保存を要求する。そのポインタを時刻認証アーカイバから受信してメモに貼り付ける。そのメモの正当性を確認したい者は、ポインタを時刻認証アーカイバに送信し、確認を要求する。この認証取得および確認の動作は、上記と同様の方法でよい。
【００７１】
さらに、上記実施例では、時刻認証を行う際、ＭＦＰ１０２から時刻認証サーバ１０４に送信されるデータは、ハッシュ値であったが、紙原稿をスキャンして得られたデジタルデータの同一性が確保される限り、どのようなデータであってもよく、デジタルデータそのものを送信してもよい。この場合、時刻認証サーバがデジタルデータからハッシュ値を計算してもよい。また、紙原稿としては、テキスト文書、写真、図形等、特に限定されるものではない。
【００７２】
また、上記実施例では、デジタルデータとして、スキャンにより生成された紙原稿の画像データ（イメージデータ）を示したが、ＭＦＰがＯＣＲ（Ｏｐｔｉｃａｌ  Ｃｈａｒａｃｔｅｒ  Ｒｅａｄｅｒ）等、コードデータに変換する機能を有する場合、さらにこの画像データからコードデータに変換したものをデジタルデータとしてもよく、変換されたコードデータのハッシュ値を時刻認証サーバに送信するようにしてもよい。
【００７３】
さらに、ＭＦＰが大容量のデータ記憶装置を備える場合、タイムスタンプおよびデジタルデータを保存サーバに保存する代わりに、ＭＦＰ自体が保存するようにしてもよい。
【００７４】
また、本発明の目的は、実施例の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００７５】
この場合、記憶媒体から読み出されたプログラムコード自体が前述した実施例の機能を実現することになり、そのプログラムコードを記憶した記憶媒体は本発明を構成することになる。
【００７６】
又、プログラムコードを供給するための記憶媒体としては、例えば、ＲＯＭ、フロッピー（登録商標）ディスク、ＰＣＭＣＩＡカードやコンパクトフラッシュ（登録商標）等のメモリカード、ハードディスク、マイクロＤＡＴ、光磁気ディスク、ＣＤ−ＲやＣＤ−ＲＷ等の光ディスク、ＤＶＤ等の相変化型光ディスク等で構成されてもよい。
【００７７】
また、コンピュータが読み出したプログラムコードを実行することにより、上記実施例の機能が実現されるだけでなく、そのプログラムコードの指示に基づき、コンピュータ上で稼動しているＯＳ（オペレーティングシステム）等が実際の処理の一部または全部を行い、その処理によって前述した実施例の機能が実現される場合も含まれる。
【００７８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施例の機能が実現される場合も含まれる。
【図面の簡単な説明】
【００７９】
【図１】実施例における時刻認証システムの全体構成および画像処理装置の電気的構成を示す図である。
【図２】画像処理装置（ＭＦＰ）１０２の構成を示す図である。
【図３】時刻認証サーバ１０４の構成を示す図である。
【図４】時刻認証取得動作における時刻認証サーバ１０４、ＭＦＰ１０２および保存サーバ１０５間のデータ転送を示す図である。
【図５】時刻認証取得動作におけるＭＦＰ１０２の動作処理手順を示すフローチャートである。
【図６】時刻認証取得動作における時刻認証サーバ１０４の動作処理手順を示すフローチャートである。
【図７】時刻認証取得動作における保存サーバ１０５の動作処理手順を示すフローチャートである。
【図８】時刻認証確認動作における時刻認証サーバ１０４、ＭＦＰ１０２および保存サーバ１０５間のデータ転送を示す図である。
【図９】時刻認証確認動作におけるＭＦＰ１０２の動作処理手順を示すフローチャートである。
【図１０】時刻認証確認動作における時刻認証サーバ１０４の動作処理手順を示すフローチャートである。
【図１１】時刻認証確認動作における保存サーバ１０５の動作処理手順を示すフローチャートである。
【図１２】紙原稿およびその時刻認証後の印刷出力を示す図である。
【図１３】ＭＦＰ１０２の機能を選択する際の操作パネルを示す図である。
【図１４】複数の中から時刻認証局を選択する際の操作パネルを示す図である。
【図１５】画像データとタイムスタンプをまとめて保存する際の操作パネルを示す図である。
【図１６】タイムスタンプの印刷を設定する際の操作パネルを示す図である。
【図１７】時刻認証の確認を印刷する際の操作パネルを示す図である。
【図１８】ジョブの受信時の動作を設定する際の操作パネルを示す図である。
【符号の説明】
【００８０】
５３  操作パネル
１０２  ＭＦＰ（複合機）
１０４  時刻認証サーバ
１０５  保存サーバ
１１３  スキャナ部
１１５  ネットワーク処理部
１１７  画像形成部
１１８  タイムスタンプ処理部
１１９  制御部
１３９  タイマ
【図１】
2005123980.tif 000003
【図２】
2005123980.tif 000004
【図３】
2005123980.tif 000005
【図４】
2005123980.tif 000006
【図５】
2005123980.tif 000007
【図６】
2005123980.tif 000008
【図７】
2005123980.tif 000009
【図８】
2005123980.tif 000010
【図９】
2005123980.tif 000011
【図１０】
2005123980.tif 000012
【図１１】
2005123980.tif 000013
【図１２】
2005123980.tif 000014
【図１３】
2005123980.tif 000015
【図１４】
2005123980.tif 000016
【図１５】
2005123980.tif 000017
【図１６】
2005123980.tif 000018
【図１７】
2005123980.tif 000019
【図１８】
2005123980.tif 000020